(57)【要約】【課題】時計の小型・薄型化が可能になり、指針の指示と針位置カウンターとにズレが生じている場合に、その修正を容易に行える電波修正時計を提供することにある。【解決手段】電波修正時計１は、受信回路５と、時刻を計時する内部時刻計数手段１３と、時刻を表示する時刻表示部材２と、時刻表示部材２を駆動する表示駆動手段３と、表示駆動手段３を制御する表示駆動制御手段１９と、時刻表示部材２の表示時刻を計数する表示時刻計数手段１４と、表示時刻計数手段１４のデータを制御する表示時刻計数制御手段１５と、内部時刻表示時刻比較手段１６と、時刻表示部材２の表示時刻を変更可能な外部操作部材４とを備える。表示時刻計数制御手段１５は、表示時刻計数手段１４が初期化された後や時刻表示部材２が外部操作部材４で変更された後に、最初に標準電波を受信した場合に、受信した時刻情報で表示時刻計数手段１４のデータを書き換える。【選択図】図１
2011080889.tif 000002
【特許請求の範囲】
【請求項１】
時刻情報を含む標準電波を受信する受信手段と、
基準信号源からの基準信号に基づいて時刻を計時する内部時刻計数手段と、
前記時刻を表示するアナログ式の時刻表示部材と、
前記時刻表示部材を駆動する表示駆動手段と、
前記表示駆動手段を制御する表示駆動制御手段と、
前記時刻表示部材で表示する時刻情報を計数する表示時刻計数手段と、
前記表示時刻計数手段のデータを制御する表示時刻計数制御手段と、
前記内部時刻計数手段で計時されている時刻、および、前記表示時刻計数手段で計数されている時刻情報を比較する内部時刻表示時刻比較手段と、
前記時刻表示部材の表示時刻を変更可能な外部操作部材と、を備え、
前記表示時刻計数制御手段は、前記表示時刻計数手段が初期化された後、または、前記時刻表示部材が前記外部操作部材で変更された後に、最初に前記受信手段で標準電波を受信した場合に、前記受信した時刻情報で前記表示時刻計数手段のデータを書き換えることを特徴とする電波修正時計。
【請求項２】
請求項１に記載の電波修正時計において、
前記時刻表示部材の少なくとも一部の時刻表示部材の表示基準位置を検出する位置検出手段を備え、
前記表示時刻計数制御手段は、前記表示時刻計数手段において、位置検出手段を備えていない時刻表示部材で表示される時刻情報のみを、受信した時刻情報でデータを書き換えることを特徴とする電波修正時計。
【請求項３】
請求項２に記載の電波修正時計において、
前記時刻表示部材は、時を指示する時針と、分を指示する分針と、秒を指示する秒針と、日付または曜日を指示する表示車とを備え、
前記位置検出手段は、前記時針、分針、秒針が予め設定された表示基準位置に移動したことを検出する位置検出センサーにより構成され、
前記表示時刻計数制御手段は、前記表示時刻計数手段において、時分秒以外の時刻情報のみを、受信した時刻情報でデータを書き換えることを特徴とする電波修正時計。
【請求項４】
時刻情報を含む標準電波を受信する受信手段と、
基準信号源からの基準信号に基づいて時刻を計時する内部時刻計数手段と、
前記時刻を表示するアナログ式の時刻表示部材と、
前記時刻表示部材を駆動する表示駆動手段と、
前記表示駆動手段を制御する表示駆動制御手段と、
前記時刻表示部材で表示する時刻情報を計数する表示時刻計数手段と、
前記表示時刻計数手段のデータを制御する表示時刻計数制御手段と、
前記内部時刻計数手段で計時されている時刻、および、前記表示時刻計数手段で計数されている時刻情報を比較する内部時刻表示時刻比較手段と、
前記時刻表示部材の表示時刻を変更可能な外部操作部材と、を備えた電波修正時計の制御方法であって、
前記表示時刻計数手段が初期化された後、または、前記時刻表示部材が前記外部操作部材で変更された後に、最初に前記受信手段で標準電波を受信した場合に、前記表示時刻計数制御手段によって、前記受信した時刻情報で前記表示時刻計数手段のデータを書き換える工程と、
前記内部時刻表示時刻比較手段によって、前記内部時刻計数手段で計時されている時刻、および、前記表示時刻計数手段で計数されている時刻情報を比較する工程と、
前記表示駆動制御手段によって、前記内部時刻表示時刻比較手段の比較結果に基づいて前記表示駆動手段を駆動するとともに、その駆動量に応じて表示時刻計数手段で計数している時刻情報を更新する工程と、
を備えていることを特徴とする電波修正時計の制御方法。
【発明の詳細な説明】
【技術分野】
【０００１】
本発明は、電波修正時計および電波修正時計の制御方法に関する。
【背景技術】
【０００２】
近年、時刻情報を含む電波（長波標準電波）を受信し、その時刻情報で時刻を自動的に修正して表示する電波修正時計が利用されている。特に、従来の電波修正時計は、クロック（置き時計や掛け時計）が中心であったが、近年、携帯型のウオッチ（腕時計など）にも組み込まれるようになっている。
ところで、指針式の電波修正時計において、光センサーや電気的接点などを用いて指針状況すなわち指針の位置を検出し、指針の位置が受信した時刻情報となるように修正するもの（例えば、特許文献１）や、竜頭あるいはスイッチボタンの操作により指針を所定の時刻に合わせ、その時刻に対応するカウンター値と受信した時刻情報とを比較して修正するもの（例えば、特許文献２）などの構成が取られている。
【０００３】
特許文献１に記載の針位置検出を実施するものは、指針を運針させるための歯車に所定の孔を設け、その孔が光センサーの光路上に位置することで指針の位置を検出する構成が採られている。
しかしながら、この方法では、時分秒の各指針の他に、日車や曜車等の表示車を設け、これらの表示車の位置を検出する光センサーも設けようとすると、センサーの数が増えて小型化が図れないとともに、コストも増加する。また、複数の光センサーを動作させる消費電力も別途必要となり、使用可能時間が短くなるおそれもある。
【０００４】
特許文献２に記載の時刻合わせの操作を実施するものは、竜頭の操作により時針、分針および秒針を所定の時刻（例えば０時０分０秒）を指示する位置に変更する。この操作により、時、分、秒の各針位置カウンターを所定の時刻に対応する所定の時刻のカウント値に設定する。同時に、時刻をカウントする時、分、秒の各時刻カウンターに時刻情報入力回路から時刻情報を入力する。そして、時刻カウンターのカウント値に針位置カウンターのカウント値が一致するまで、針位置カウンターをカウントアップあるいはダウンなどし、このカウント値のアップあるいはダウンと対応して時針、分針および秒針を運針させて時刻修正する。
しかしながら、この方法では、指針を所定の時刻（例えば１２時位置）に時刻合わせする操作により、電波修正時計内の針位置カウンターのカウント値と時針、分針および秒針の位置とを同期させて初期化する操作を必ず行わなければならず、時刻修正のための操作が煩雑となるとともに、時分秒の各情報を処理することとなり、制御工程も複雑となる。
【先行技術文献】
【特許文献】
【０００５】
【特許文献１】特開平８−１７９０５８号公報（第２頁右欄−第３頁右欄）
【特許文献２】特開平６−２５８４６１号公報（第７頁左欄−第７頁右欄：第４の実施例）
【発明の概要】
【発明が解決しようとする課題】
【０００６】
上述したように、特許文献１に記載の電波修正時計では、複数の光センサーが必要となり、コストが増加するとともに、時計の薄型化や小型化が困難になるという問題がある。
【０００７】
また、特許文献２に記載の電波修正時計では、竜頭の操作により時針、分針、秒針を所定の時刻（例えば０時０分０秒）に移動して針位置カウンターを初期化することで、電波修正時計内の計時する時刻のカウント値と時分秒の各指針の位置との同期を取って修正するので、すべての指針を所定の位置まで移動しなければならず、修正操作の作業が複雑であるという問題がある。
このため、電池交換や不具合によって、内部時刻と指針の指示時刻とでズレが生じている場合に、そのズレをユーザーが修正することが難しかった。特に、一般的な時計では、竜頭の回転操作やボタン操作によって時針および分針を連動させて針位置を修正するため、指針の位置によっては分針を何周分か回転させて時針を所定の位置に移動させなければならず、修正操作が非常に煩雑になるという問題がある。
その上、指針を所定の位置に移動して針位置カウンターを初期化した後に、標準電波を受信しなければ、指針を正しい時刻に合わせることができないため、標準電波を受信出来なかった場合には対応が難しいという問題もあった。
【０００８】
本発明の目的は、時計の小型・薄型化が可能になるとともに、電池交換やシステムリセットなどで、指針の指示と針位置カウンターとにズレが生じている場合に、その修正を容易に行える電波修正時計およびその制御方法を提供することにある。
【課題を解決するための手段】
【０００９】
本発明の電波修正時計は、時刻情報を含む標準電波を受信する受信手段と、基準信号源からの基準信号に基づいて時刻を計時する内部時刻計数手段と、前記時刻を表示するアナログ式の時刻表示部材と、前記時刻表示部材を駆動する表示駆動手段と、前記表示駆動手段を制御する表示駆動制御手段と、前記時刻表示部材で表示する時刻情報を計数する表示時刻計数手段と、前記表示時刻計数手段のデータを制御する表示時刻計数制御手段と、前記内部時刻計数手段で計時されている時刻、および、前記表示時刻計数手段で計数されている時刻情報を比較する内部時刻表示時刻比較手段と、前記時刻表示部材の表示時刻を変更可能な外部操作部材と、を備え、前記表示時刻計数制御手段は、前記表示時刻計数手段が初期化された後、または、前記時刻表示部材が前記外部操作部材で変更された後に、最初に前記受信手段で標準電波を受信した場合に、前記受信した時刻情報で前記表示時刻計数手段のデータを書き換えることを特徴とする。
【００１０】
本発明によれば、指針などのアナログ式の時刻表示部材を備え、この時刻表示部材で表示する時刻情報を表示時刻計数手段（針位置カウンター）で計数している。一方、内部時刻計時手段は、基準信号で時刻を計時しており、受信手段で時刻情報を取得した場合には、取得した時刻情報で更新される。内部時刻表示時刻比較手段は、前記内部時刻計数手段で計時されている時刻と、表示時刻計数手段で計数されている時刻情報とを比較し、表示駆動制御手段はその差分だけ前記表示駆動手段を制御して時刻表示部材を駆動し、表示時刻計数手段は時刻表示部材が駆動された分だけ時刻情報を更新する。従って、時刻表示部材および表示時刻計数手段は、表示時刻計数手段で計数されている時刻情報が内部時刻計数手段の計時時刻と一致するまで修正され、受信した時刻に修正される。
この際、時刻表示部材で表示している時刻と、表示時刻計数手段で計数している時刻情報とが同期（一致）していない場合には、上記処理を行っても、時刻表示部材は正しい時刻からずれてしまう。従って、表示時刻計数手段で計数している時刻情報と、時刻表示部材で表示している時刻とを同期させる必要がある。
【００１１】
このため、本発明の表示時刻計数制御手段は、前記表示時刻計数手段が初期化された後、または、前記時刻表示部材が前記外部操作部材で変更された後に、すなわち、時刻表示部材と表示時刻計数手段とが同期していないと想定される状態になった場合に、最初に前記受信手段で標準電波を受信した場合に、前記受信した時刻情報で前記表示時刻計数手段のデータを書き換えている。ここで、時刻表示部材の表示時刻が実際の時刻からずれている場合、利用者は、外部操作部材を用いて時刻表示部材を移動して時刻合わせを行っている可能性が高い。このように時刻表示部材が現時刻に合っていれば、受信した時刻情報で前記表示時刻計数手段のデータを書き換えると、時刻表示部材と表示時刻計数手段とは同期することになる。従って、その後は、受信したデータで更新される内部時刻計数手段と、表示時刻計数手段とを比較し、その差分に応じて時刻表示部材の表示駆動手段を駆動させれば、時刻情報を受信した際に、正しい時刻に自動的に修正できる。
これにより、別途、表示基準位置まで時刻表示部材を手動操作で移動して表示時刻計数手段を所定値に設定して同期を確保したり、時刻表示部材の位置を検出するセンサーを設けることなく、表示時刻計数手段で計数している時刻情報と、時刻表示部材で表示している時刻とを容易に同期させてズレを修正することができる。
また、時刻表示部材の表示基準位置を検出する位置検出手段を設けなくてもズレを修正できるので、位置検出手段を設ける場合に比べて、時計の小型・薄型化を容易に実現できる。
【００１２】
本発明において、前記時刻表示部材の少なくとも一部の時刻表示部材の表示基準位置を検出する位置検出手段を備え、前記表示時刻計数制御手段は、前記表示時刻計数手段において、位置検出手段を備えていない時刻表示部材で表示される時刻情報のみを、受信した時刻情報でデータを書き換えることが好ましい。
【００１３】
例えば、時分秒の各指針の表示基準位置を検出する位置検出手段を備えている場合、これらの指針は定期的に位置が検出されるので、表示時刻計数手段とも同期が取れている。一方、このような位置検出手段を備えない日車や曜車等の時分秒以外の時刻情報を表示する時刻表示部材は、上記の通り、受信した時刻情報で表示時刻計数手段の対応する時刻情報のデータを書き換えることで、その時刻表示部材が正しい時刻を表示していれば、同期を取ることができる。
従って、その後は、受信したデータで更新される内部時刻計数手段と、表示時刻計数手段とを比較し、その差分に応じて時刻表示部材の表示駆動手段を駆動させれば、時刻情報を受信した際に、位置検出手段を備える時刻表示部材だけでなく、位置検出手段を備えていない時刻表示部材も正しい時刻に自動的に修正できる。
また、すべての時刻表示部材の表示基準位置を検出する位置検出手段を設ける場合に比べて、位置検出手段の設置数を少なくできるので、時計の小型・薄型化を容易に実現できる。
【００１４】
本発明において、前記時刻表示部材は、時を指示する時針と、分を指示する分針と、秒を指示する秒針と、日付または曜日を指示する表示車とを備え、前記位置検出手段は、前記時針、分針、秒針が予め設定された表示基準位置に移動したことを検出する位置検出センサーにより構成され、前記表示時刻計数制御手段は、前記表示時刻計数手段において、時分秒以外の時刻情報のみを、受信した時刻情報でデータを書き換えることが好ましい。
【００１５】
本発明によれば、表示車の位置を検出する位置検出センサーを設ける必要が無く、その分、時計の小型化・薄型化を容易に実現できる。
また、表示車は、日付や曜日を表示し、これらの時刻情報は１日毎に更新される情報であるため、電源の再投入操作やシステムリセット操作を行った場合でも、表示車で表示されている日付や曜日が、実際の日付や曜日と一致している可能性が高い。従って、外部操作部材で表示車を修正しなくても、受信処理を行って受信データで表示時刻計数手段を更新すれば、表示車の指示と、表示時刻計数手段のデータとを同期させることができる。従って、利用者が表示車の修正を行う必要がない場合が多いため、その分、修正操作性も向上できる。
【００１６】
本発明の電波修正時計の制御方法は、時刻情報を含む標準電波を受信する受信手段と、基準信号源からの基準信号に基づいて時刻を計時する内部時刻計数手段と、前記時刻を表示するアナログ式の時刻表示部材と、前記時刻表示部材を駆動する表示駆動手段と、前記表示駆動手段を制御する表示駆動制御手段と、前記時刻表示部材で表示する時刻情報を計数する表示時刻計数手段と、前記表示時刻計数手段のデータを制御する表示時刻計数制御手段と、前記内部時刻計数手段で計時されている時刻、および、前記表示時刻計数手段で計数されている時刻情報を比較する内部時刻表示時刻比較手段と、前記時刻表示部材の表示時刻を変更可能な外部操作部材と、を備えた電波修正時計の制御方法であって、前記表示時刻計数手段が初期化された後、または、前記時刻表示部材が前記外部操作部材で変更された後に、最初に前記受信手段で標準電波を受信した場合に、前記表示時刻計数制御手段によって、前記受信した時刻情報で前記表示時刻計数手段のデータを書き換える工程と、前記内部時刻表示時刻比較手段によって、前記内部時刻計数手段で計時されている時刻、および、前記表示時刻計数手段で計数されている時刻情報を比較する工程と、前記表示駆動制御手段によって、前記内部時刻表示時刻比較手段の比較結果に基づいて前記表示駆動手段を駆動するとともに、その駆動量に応じて表示時刻計数手段で計数している時刻情報を更新する工程と、を備えていることを特徴とする。
【００１７】
本発明においても前記電波修正時計と同様の作用効果を奏することができる。
【図面の簡単な説明】
【００１８】
【図１】本発明の第１実施形態における電波修正時計の内部構成を示すブロック図である。
【図２】本発明の第１実施形態における動作を示すフローチャートである。
【図３】本発明の第２実施形態における動作を示すフローチャートである。
【発明を実施するための形態】
【００１９】
〔第１実施形態〕
以下、本発明の第１実施形態を図面に基づいて説明する。
なお、本実施形態では、時針、分針および秒針を備え時刻を指針により表示するとともに、日付や曜日を表示車で表示する指針式時計、いわゆるアナログ時計について説明するが、本発明は、秒針を有しないものや、日付や曜日などのカレンダー機能（暦機能）を有しないものなどにも適用できる。さらには、クロックあるいはウオッチのいずれにも適用できる。
【００２０】
〔電波修正時計の構成〕
図１は、第１実施形態の電波修正時計１の内部構成を示すブロック図である。
電波修正時計１は、時刻を表示する時刻表示部材２と、時刻表示部材２を駆動する表示駆動手段３と、外部から操作するための外部操作部材４とを備えている。
さらに、電波修正時計１は、時刻情報を含む電波を受信する受信手段としての受信回路５と、基準信号を出力する基準信号源となる発振回路６および分周回路７と、装置全体の動作を制御する制御手段１０と、が設けられている。
【００２１】
時刻表示部材２は、アナログ式時計で用いられる一般的な指針や、日や曜日を印刷した表示車（日車、曜車）等で構成されている。具体的には、図示を略すが、文字板と、指針である時針、分針、秒針と、日付や曜日を表示する日車、曜車等を備えて構成されている。なお、日車、曜車は、両方設けてもよいし、いずれか一方のみを設けてもよいし、両方とも設けなくてもよい。これらは各時計のデザインなどを考慮して設定される。
【００２２】
時刻表示部材２を駆動する表示駆動手段３は、例えばステップモーターおよび輪列などで構成されている。この表示駆動手段３は、制御手段１０からの所定の信号により駆動し、指針を運針させる。なお、表示駆動手段３は、ステップモーターに限らず、圧電アクチュエーター等の指針を運針可能な各種の駆動機構を用いてもよい。
【００２３】
外部操作部材４は、リューズやボタンを備えて構成されている。そして、利用者が手動により外部操作部材４であるリューズを引き出すと、表示する時刻が変更可能な状態となり、利用者はこの状態でボタンを押すことで、指針を表示駆動手段３で移動させて表示する時刻を変更できる。また、外部操作部材４であるリューズが押し込まれた状態では、手動による時刻の変更が不可能で、通常の表示駆動手段３の駆動による運針が実施される状態となる。
【００２４】
受信回路５は、一般的な標準電波の受信回路と同じ構成であり、図示しないアンテナと、同調コンデンサーなどにて構成された図示しない同調回路とを備えている。この受信回路５は、制御手段１０で制御され、同調回路で設定された周波数の長波標準電波をアンテナで受信させるように構成されている。この受信する長波標準電波としては、例えば日本国内においては、送信周波数４０ｋＨｚの「おおたかどや山（東日本）」の標準電波出力局と、送信周波数６０ｋＨｚの「はがね山（西日本）」の標準電波出力局との２種類の周波数である。
また、受信回路５は、図示しない、増幅回路、バンドパスフィルター、復調回路、デコード回路などを備え、受信した長波標準電波からデジタルデータであるタイムコードを取り出す。この取り出したタイムコードは、制御手段１０に出力される。
【００２５】
発振回路６は、例えば水晶振動子などの図示しない基準信号源を備え、この基準信号源を高周波発振させ、この高周波発振により発生する発振信号を分周回路７に出力する。
分周回路７は、発振回路６から出力される発振信号を受信して分周する。この分周回路７は、リューズの押し込み操作を制御手段１０が認識した際に、制御手段１０から出力される所定の信号により、分周処理をリセットする。分周処理をリセットするのは、リューズが押し込まれたタイミングと、分周回路７から出力される基準信号の出力タイミングとの同期を取るためである。そして、分周回路７は、所定の基準信号、例えば１Ｈｚのパルス信号を、制御手段１０に出力する。
【００２６】
［制御手段の構成］
制御手段１０は、例えばＩＣ（Integrated Circuit）や各種電気部品などが搭載された回路によって構成され、電波修正時計１の計時および時刻修正を実施するものである。
制御手段１０は、受信回路制御手段１１と、受信データ制御手段１２と、内部時刻計数手段１３と、表示時刻計数手段１４と、表示時刻計数制御手段１５と、内部時刻表示時刻比較手段１６と、時刻表示修正手段１７と、表示基準位置設定手段１８と、表示駆動制御手段１９とを備えている。
【００２７】
受信回路制御手段１１は、前記受信回路５の動作を制御するものである。具体的には、受信回路制御手段１１は、手動の受信操作が行われた場合、または、定時受信時刻になった場合に、受信回路５を作動して標準電波の受信処理を制御する。
すなわち、外部操作部材４のボタンで所定の操作が行われて手動受信操作が行われたことを表す信号が受信回路制御手段１１に入力されると、受信回路制御手段１１は受信回路５を作動して受信処理を実行する。
また、受信回路制御手段１１は、内部時刻計数手段１３で計数されている内部時刻データを参照しており、この内部時刻データが予め設定された自動受信時刻（例えば、毎日午前２時等）になると、受信回路制御手段１１は受信回路５を作動して受信処理を実行する。
【００２８】
受信データ制御手段１２は、受信回路５から出力されるタイムコードに基づいて時刻データを算出する。そして、算出した時刻データを検証し、正しいデータであると判定した場合にその時刻データを内部時刻計数手段１３および表示時刻計数制御手段１５に出力する。
なお、時刻データの検証方法は、例えば、長波標準電波であれば、１分間隔で送信されてくる時刻情報を複数フレーム（通常は、２〜３フレーム）で受信し、受信した各時刻情報が所定の時刻差になっているか否かで判断することができる。例えば、各時刻情報を連続して受信した場合は、各時刻情報が１分間隔の時刻情報になっているか否かで判断する。
【００２９】
内部時刻計数手段１３は、秒、分、時、日、曜、月、年などのデータを計数する各カウンターを備えて構成され、分周回路７からのパルス信号を用いて時刻をカウントする。
すなわち、各カウンターはアップカウンターなどにより構成され、計時される時刻、例えば○時○分○秒などの時、分、秒等の時刻情報を、それぞれのカウント値として記憶する。すなわち、分周回路７からのパルス信号を取得することにより、秒情報のカウント値が１秒分ずつカウントアップされ、６０秒分カウントアップされて秒カウンターが０秒に戻ると、分カウンターが１分カウントアップされる。また、６０分カウントアップされて分カウンターが０分に戻ると時カウンターが１時間カウントアップされる。同様に、時カウンターが２４時間分カウントアップされて０時に戻ると、日カウンターは１日分カウントアップし、曜カウンターは次の曜日にカウントアップする。
【００３０】
なお、内部時刻計数手段１３には、１〜１２月の月をカウントする月カウンターも備えており、現在の月を把握することで、日カウンターの月末更新処理も自動的に行うように構成されている。すなわち、３１日まである大の月であれば、日カウンターは３１日までカウントアップし、さらに１日分カウントアップすると、翌月の１日に更新する。一方、３０日まである小の月であれば、日カウンターは３０日までカウントアップし、さらに１日分カウントアップすると、翌月の１日に更新する。
また、内部時刻計数手段１３には、年カウンターも備えており、月カウンターが１２月から翌年の１月に更新される際に、年カウンターも１年分カウントアップする。そして、内部時刻計数手段１３は、この年カウンターで、その年が「うるう年」であるかを判断し、２月の月末更新処理を実行する。
【００３１】
さらに、内部時刻計数手段１３は、受信データ制御手段１２からの時刻データを受信すると、各カウンターをその時刻データに更新する。これにより、受信処理によって現在の時刻データを取得すれば、内部時刻計数手段１３で計数している内部時刻は、現時刻に更新されることになる。
【００３２】
表示時刻計数手段１４は、表示部材の時刻情報をカウントするものである。すなわち、表示時刻計数手段１４は、内部時刻計数手段１３と同様に、秒、分、時、日、曜、月、年などのデータを計数する各カウンターを備えて構成されている。
また、表示時刻計数制御手段１５は、表示時刻計数手段１４の各カウンターの計数処理や、データの書き換え処理を制御する。
【００３３】
そして、通常の運針状態では、内部時刻計数手段１３の秒カウンターが分周回路７からのパルス信号でカウントアップされると、内部時刻計数手段１３から表示駆動制御手段１９に信号が出力される。例えば、表示駆動手段３が、秒針を駆動する秒モーターと、時分針を駆動する時分針モーターと、日車を駆動する日モーターとを備えている場合、内部時刻計数手段１３は、秒カウンター、分カウンター、時カウンター、日カウンターが更新されると、その情報を表示駆動制御手段１９に出力する。表示駆動制御手段１９は、その情報に基づいて、各モーターを駆動し、各指針や日車の表示を内部時刻計数手段１３で計数されている時刻に応じて更新する。
【００３４】
一方、内部時刻計数手段１３は、更新されたカウンターの情報を表示時刻計数制御手段１５にも出力する。表示時刻計数制御手段１５は、内部時刻計数手段１３からの情報を受けて、表示時刻計数手段１４のカウンターも更新する。
このように、通常の運針状態では、分周回路７からのパルス信号で内部時刻計数手段１３が更新されると、内部時刻計数手段１３からの情報に基づき、表示駆動制御手段１９、表示駆動手段３を介して時刻表示部材２が駆動されると共に、表示時刻計数制御手段１５を介して表示時刻計数手段１４が更新される。このため、時刻表示部材２と表示時刻計数手段１４との同期がとられていれば、表示時刻計数手段１４は、時刻表示部材２が指示する時刻を示すことになる。
例えば、秒針が０秒を指示している際に、表示時刻計数手段１４の秒カウンターも０秒とされて同期が取られている状態で、内部時刻計数手段１３の秒カウンターが１秒カウントアップされたとする。この場合、内部時刻計数手段１３から秒カウンターがカウントアップされたことを示す情報が表示駆動制御手段１９および表示時刻計数制御手段１５に出力される。そして、表示駆動制御手段１９は、表示駆動手段３の秒モーターを駆動して秒針を１秒進める。このため、秒針は、１秒を指示する目盛位置に移動する。また、表示時刻計数制御手段１５は、表示時刻計数手段１４の秒カウンターを１秒カウントアップする。従って、秒針が１秒の目盛位置にあるときに、表示時刻計数手段１４の秒カウンターも１秒の値とされるため、表示時刻計数手段１４は秒針で表示されている時刻を指示していることになる。
【００３５】
内部時刻表示時刻比較手段１６は、内部時刻計数手段１３で計数している内部時刻と、表示時刻計数手段１４で計数している表示時刻とを比較する。そして、内部時刻表示時刻比較手段１６は、これらの各時刻が一致している場合には特に信号を出力しないが、一致していない場合にはその差に応じた信号を表示駆動制御手段１９に出力する。
例えば、内部時刻計数手段１３が受信した時刻データで更新された場合等に、内部時刻と表示時刻とが異なる場合がある。この場合、内部時刻表示時刻比較手段１６は、その差に応じて信号を表示駆動制御手段１９に出力し、表示駆動制御手段１９はその信号に応じて表示駆動手段３を駆動して時刻表示部材２の各指針等を移動する。また、表示駆動制御手段１９は、表示駆動手段３の駆動に応じた信号を表示時刻計数制御手段１５に出力し、表示時刻計数制御手段１５は、その信号に応じて表示時刻計数手段１４のカウンターを更新する。
【００３６】
例えば、内部時刻計数手段１３の秒カウンターが３０秒であり、表示時刻計数手段１４が２０秒であった場合、内部時刻と表示時刻とで１０秒の差があるため、内部時刻表示時刻比較手段１６は、秒針を１０秒分駆動する信号を表示駆動制御手段１９に出力する。表示駆動制御手段１９は、表示駆動手段３の秒モーターを１０秒分駆動すると共に、表示時刻計数制御手段１５に対して、秒針を１０秒駆動したことを示す信号を出力する。表示時刻計数制御手段１５は、その信号に基づいて、表示時刻計数手段１４の秒カウンターを１０秒更新する。これにより、内部時刻計数手段１３の時刻と、表示時刻計数手段１４および時刻表示部材２が一致することになる。
内部時刻および表示時刻で、分、時、日などが一致しない場合も同様の処理が行われる。
【００３７】
時刻表示修正手段１７は、外部操作部材４によって時計の時刻を修正する操作が行われた場合に、その操作に応じて内部時刻計数手段１３、表示時刻計数手段１４、時刻表示部材２を修正するものである。
具体的には、リューズを引き出すことなどで、時刻修正モードに移行した後、ボタンの操作で修正対象の指針等を選択し、さらに、ボタンを押す回数でその指針の移動量を設定する。例えば、秒針の修正が選択された状態で、所定のボタンを押すと、時刻表示修正手段１７は、ボタンが押された回数で設定される秒数分の信号を表示駆動制御手段１９に出力し、表示駆動制御手段１９はその秒数分だけ表示駆動手段３の秒モーターを駆動して秒針を移動する。同時に、時刻表示修正手段１７は、秒数分の信号を内部時刻計数手段１３に出力して内部時刻計数手段１３の秒カウンターを更新するとともに、秒数分の信号を表示時刻計数制御手段１５に出力して表示時刻計数手段１４の秒カウンターを更新する。すなわち、時刻表示修正手段１７は、手動操作で時刻修正が行われた場合に、表示駆動制御手段１９、表示駆動手段３を介して時刻表示部材２を更新すると共に、内部時刻計数手段１３および表示時刻計数手段１４を更新する。
【００３８】
同様に、時分針を修正対象とした場合には、ボタンを押すことで時分モーターが駆動されて時分針が移動され、同時に、内部時刻計数手段１３および表示時刻計数手段１４の時カウンターおよび分カウンターが更新される。
また、日車を修正対象とした場合には、ボタンを押すことで日モーターが駆動されて日車が移動され、同時に、内部時刻計数手段１３および表示時刻計数手段１４の日カウンターが更新される。
なお、各指針や日車を移動するボタンは、少なくとも各指針や日車を進める方向に移動する１つのボタンがあればよいが、逆方向に移動するボタンも備えていれば、時刻修正操作が簡略化される点で好ましい。さらに、ボタンを長押しした場合に、各指針等を早送りするように構成してもよい。
【００３９】
表示基準位置設定手段１８は、時刻表示部材２の基準位置を外部操作部材４で設定するものである。
具体的には、リューズを引き出すことなどで、表示基準位置設定モードに移行した後、ボタンの操作で設定対象の指針等を選択し、さらに、ボタンを押す回数でその指針の移動量を設定する。ここで、表示基準位置としては、秒針、分針、時針は、１２時位置、つまり各指針で０時０分０秒を指示する位置を基準位置としている。また、日車は、例えば、日車に表示された数字「１」が文字板の日窓から視認できる位置を基準位置としている。
従って、表示基準位置設定手段１８は、利用者のボタン操作で指針や日車の移動操作が行われると、表示駆動制御手段１９にボタン操作に応じた信号を出力し、表示駆動制御手段１９、表示駆動手段３を介して時刻表示部材２の各指針や日車を移動する。
そして、表示基準位置設定手段１８は、外部操作部材４のリューズを押し込むことで、表示基準位置設定モードを解除した際に、表示時刻計数制御手段１５に基準位置設定信号を出力する。表示時刻計数制御手段１５は、この信号を受けると、表示時刻計数手段１４の各カウンターを基準位置に応じて予め設定された値に設定する。具体的には、時、分、秒の各カウンターは、０時０分０秒の基準位置の時刻に設定される。日カウンターも基準位置である１日に設定される。なお、曜、月、年の各カウンターも予め設定された基準位置の値に設定される。
【００４０】
従って、表示基準位置設定モードでは、利用者が外部操作部材４を操作して各指針や日車を基準位置に移動した状態で、表示基準位置設定モードを解除すれば、表示時刻計数手段１４も基準位置に応じたカウンター値に設定される。従って、時刻表示部材２と、表示時刻計数手段１４とは同期状態（同じ時刻を指示する状態）となる。
【００４１】
表示駆動制御手段１９は、表示駆動手段３を動作させる駆動信号を作成して表示駆動手段３に出力する。また、表示駆動制御手段１９は、表示駆動手段３の信号波形を検出し、表示駆動手段３が正常に動作したかを確認できるようにも構成されている。
【００４２】
さらに、表示駆動制御手段１９は、表示駆動手段３がステッピングモーターなどで構成されている場合には、外部磁界を検出する磁界検出用の誘起電圧を誘起する磁界検出パルスをモーターに供給し、磁界検出パルスによって得られた誘起電圧を検出することにより外部磁界の有無を検出することもできる。
すなわち、表示駆動手段３および表示駆動制御手段１９は外部磁界検出手段としても機能する。外部磁界が存在すると、ステッピングモーターの動作に影響する。従って、外部磁界検出手段を備えていれば、外部磁界が検出された際には、ステッピングモーターを停止して運針を止め、外部磁界の影響が無くなった時点でステッピングモーターを駆動するように制御することもでき、外部磁界によって指針の指示がずれてしまうことを防止できる。
【００４３】
〔電波修正時計の動作〕
次に、上述した構成の電波修正時計１における制御手段１０の動作について、図２のフローチャートを参照して説明する。
図２のフローチャートは、定時受信または手動受信が行われた時の処理である。
制御手段１０は、受信回路制御手段１１を介して受信回路５を作動して受信処理を行う（ステップＳ１）。
【００４４】
次に、制御手段１０は、表示時刻計数手段１４のカウンター（表示部材カウンター）が初期化されているかを確認する（ステップＳ２）。例えば、今回の受信処理が、電池交換などで電源が投入された後の最初の受信処理時や、システムリセット操作が行われた後の最初の受信処理時であれば、表示時刻計数手段１４のカウンターも初期化された状態であるため、ステップＳ２では「Ｙｅｓ」と判定される。
【００４５】
制御手段１０は、ステップＳ２で「Ｎｏ」と判定された場合は、今回の受信処理前すなわち前回の受信処理から今回の受信処理の間に、外部操作部材４で時刻表示部材２の手動修正操作が行われたかを確認する（ステップＳ３）。
【００４６】
そして、ステップＳ３で「Ｎｏ」と判定されると、制御手段１０は、受信処理の結果、受信に成功したかを判定する（ステップＳ４）。ここで、受信データ制御手段１２において、正しい時刻データが取得できておらず、受信に失敗していると判定した場合には、ステップＳ４で「Ｎｏ」と判定される。
【００４７】
ステップＳ４で「Ｎｏ」と判定されると、制御手段１０は、受信に失敗しているので、通常の運針処理に戻り（ステップＳ５）、受信時の処理を終了する。すなわち、前述したように、分周回路７からのパルス信号で内部時刻計数手段１３のカウンターがカウントアップされ、表示駆動制御手段１９、表示駆動手段３を介して時刻表示部材２が移動され、表示時刻計数制御手段１５を介して表示時刻計数手段１４のカウンターがカウントアップされる。
【００４８】
一方、ステップＳ４で「Ｙｅｓ」と判定されると、受信データ制御手段１２は、受信データ（時刻データ）で内部時刻計数手段１３のカウンター（内部時刻カウンター）を書き換える（ステップＳ６）。
次に、内部時刻表示時刻比較手段１６は、表示時刻計数手段１４のカウンター（表示部材カウンター）と、内部時刻計数手段１３の内部時刻カウンターとを比較する（ステップＳ７）。前述したように、ステップＳ７の比較処理で、各カウンターの差が算出され、その情報は表示駆動制御手段１９に出力される。
【００４９】
次に、表示駆動制御手段１９は、内部時刻表示時刻比較手段１６から出力された各カウンターの差情報に応じて表示駆動手段３を駆動して時刻表示部材２を修正する（ステップＳ８）。また、同時に、表示駆動制御手段１９は、表示時刻計数制御手段１５にその駆動情報を出力し、表示時刻計数制御手段１５は表示時刻計数手段１４のカウンターを更新する。従って、表示時刻計数手段１４のカウンターが、内部時刻計数手段１３のカウンターに一致するまでステップＳ８の時刻表示部材２の修正が行われる。これにより、表示時刻計数手段１４および時刻表示部材２は、内部時刻計数手段１３のカウンター値つまり受信した時刻データの時刻に修正される。
ステップＳ８で受信時刻に修正された後は、制御手段１０は、通常の運針処理に戻り（ステップＳ５）、受信時の処理を終了する。
【００５０】
一方、Ｓ２またはＳ３で「Ｙｅｓ」と判定された場合、制御手段１０は、以下の処理を行う。すなわち、表示時刻計数手段１４の表示部材カウンターが初期化されている場合や、時刻表示部材２が手動修正された場合は、時刻表示部材２と表示時刻計数手段１４との同期が取れていない状態、つまり時刻表示部材２で表示する時刻と、表示時刻計数手段１４で計数している時刻とが一致していない状態である。
従って、通常の電波修正時計のように、受信した時刻データで時刻表示部材２を修正しようとしても正しい時刻に修正することができない。このため、以下に説明する本発明の処理を実行している。
【００５１】
Ｓ２またはＳ３で「Ｙｅｓ」と判定されると、制御手段１０は、受信処理の結果、受信に成功したかを判定する（ステップＳ１０）。ここで、受信データ制御手段１２において、正しい時刻データが取得できておらず、受信に失敗していると判定した場合や、受信処理が行われていない場合には、ステップＳ１０で「Ｎｏ」と判定される。
【００５２】
ステップＳ１０で「Ｎｏ」と判定されると、制御手段１０はステップＳ４で「Ｎｏ」と判定された場合と同じく、通常運針処理に戻り（ステップＳ５）、受信時の処理を終了する。
【００５３】
一方、ステップＳ１０で「Ｙｅｓ」と判定されると、受信データ制御手段１２は、受信データ（時刻データ）で内部時刻計数手段１３の内部時刻カウンターを書き換える（ステップＳ１１）。
次に、表示時刻計数制御手段１５は、表示時刻計数手段１４の中で、基準位置が未設定の時刻表示部材２に対応するカウンターを、受信データ（時刻データ）で書き換える（ステップＳ１２）。
ここで、基準位置が未設定の時刻表示部材２とは、前述したように、表示基準位置設定モードによって基準位置が設定されていない時刻表示部材２を意味する。すなわち、システムリセットなどで表示時刻計数手段１４が初期化された後や、時刻表示部材２を手動修正した後に、表示基準位置設定モードで基準位置が設定された時刻表示部材２があれば、その時刻表示部材２以外の時刻表示部材２のみが基準位置が未設定となる。
そして、例えば、日車の基準位置が未設定であれば、受信した時刻データの日付データで、表示時刻計数手段１４の日カウンターを書き換える。同様に、時針の基準位置が未設定であれば、受信した時刻データの時データで、表示時刻計数手段１４の時カウンターを書き換える。当然ながら、すべての時刻表示部材２の基準位置が未設定であれば、表示時刻計数手段１４のすべてのカウンターを受信時刻データで書き換える。
【００５４】
ステップＳ１２により、受信した時刻データで表示時刻計数手段１４のカウンターを書き換えると、基準位置が未設定の時刻表示部材２も、表示時刻計数手段１４と同期することになる。
すなわち、電池交換などで電源が新たに供給された場合や、利用者の操作によってシステムリセットが行われたり、時刻表示部材２が手動修正されると、表示時刻計数手段１４の各カウンターも初期化され、時刻表示部材２の指示時刻との同期が取れなくなる。
一方で、電波修正時計１を利用している利用者は、時刻表示部材２の表示時刻が現時刻からずれている場合、通常の時計における時刻修正操作と同様に、リューズやボタンを操作して時刻表示部材２を現時刻に合わせておくはずである。
そして、外部操作部材４を操作することなどによって、時刻表示部材２を現実の時刻に合わせていれば、時刻表示部材２で表示している時刻は受信した際の時刻データと一致していることになる。従って、この時刻データで表示時刻計数手段１４のデータを更新すれば、時刻データと一致している時刻表示部材２の表示時刻と表示時刻計数手段１４の計時時刻とは同期することになる。
【００５５】
なお、システムリセット直後に受信操作を行った場合には、日車や曜車で表示される日付や曜日は正しい表示のままであり、外部操作部材４で修正する必要がない場合もある。この場合も、システムリセットによって、表示時刻計数手段１４は初期化されてしまうので、表示時刻計数手段１４のデータは、正しい表示を行っている時刻表示部材２とは異なるデータとなってしまう。この場合も、受信した時刻データで表示時刻計数手段１４のデータを更新すれば、時刻データと一致している時刻表示部材２の表示時刻と表示時刻計数手段１４の計時時刻とが同期する。
従って、ステップＳ１２の処理を行えば、表示基準位置モードにすることなく、時刻表示部材２と表示時刻計数手段１４とを同期させることができる。すなわち、表示時刻計数手段１４は基準位置が設定済みの状態となる。
【００５６】
ステップＳ１２によって、時刻表示部材２と表示時刻計数手段１４とが同期するので、内部時刻表示時刻比較手段１６は、表示時刻計数手段１４の表示部材カウンターと、内部時刻計数手段１３の内部時刻カウンターとを比較する（ステップＳ１３）。
そして、内部時刻表示時刻比較手段１６は、その差分データを表示駆動制御手段１９に出力し、表示駆動制御手段１９は、その差分に応じて表示駆動手段３を駆動して時刻表示部材２を修正する（ステップＳ１４）。同時に、表示駆動制御手段１９は、表示駆動手段３の駆動量に応じた信号を表示時刻計数制御手段１５に出力し、表示時刻計数制御手段１５は表示時刻計数手段１４のカウンター値を更新し、時刻表示部材２との同期状態を維持する。
その後は、制御手段１０は、通常運針処理に戻り（ステップＳ５）、受信時の処理を終了する。
【００５７】
なお、電波修正時計１を利用している利用者が、時刻表示部材２の表示時刻が現時刻からずれている場合、時刻表示部材２を現時刻に合わせていない場合には、ステップＳ１２の処理を行っても、時刻表示部材２と表示時刻計数手段１４とを同期させることができない。この場合、ステップＳ１３，１４の処理を行っても、時刻表示部材２は正しい時刻に修正されないため、利用者は時刻表示部材２を手動修正することになる。従って、次の受信処理時には、ステップＳ１２で時刻表示部材２と表示時刻計数手段１４とは同期させることができる。
【００５８】
このような本実施形態によれば、次の作用効果を奏することができる。
（１）電池交換などの電源の再投入時や、システムリセット操作で表示時刻計数手段１４が初期化された場合、または、外部操作部材４の操作によって時刻表示部材２が修正された場合は、時刻表示部材２の表示時刻と表示時刻計数手段１４で計数している時刻とにずれが生じてしまう。このような場合に、本実施形態は、表示時刻計数制御手段１５によって、受信した時刻データで表示時刻計数手段１４のデータを書き換えている。これにより、手動修正によって時刻表示部材２が現実の時刻を表示している場合、あるいは、表示時刻計数手段１４が初期化されても、時刻表示部材２が実際の時刻を表示している状態であれば、時刻表示部材２と表示時刻計数手段１４とを同期させることができる。
このため、利用者は、表示基準位置合わせ操作を行うことなく、時刻表示部材２と表示時刻計数手段１４とを同期させることができ、利用者にとって使い勝手の良い電波修正時計１とすることができる。
特に、外部操作部材４で時刻表示部材２を現在の時刻に合わせることは、一般的な時計における時刻合わせ操作として従来から広く行われていることであり、何ら新しい操作を覚える必要もないことから、ユーザーの使い勝手を阻害することはない。
【００５９】
（２）また、表示時刻計数制御手段１５が受信時刻データで表示時刻計数手段１４を更新することで、時刻表示部材２の表示時刻と表示時刻計数手段１４で計数している時刻との同期を容易に行うことができるので、時刻表示部材２の位置を検出するセンサーを設ける必要もない。このため、電波修正時計１の構成の簡略化が図れて時計の小型化や薄型化を実現しやすくなり、製造作業性および生産性も向上することができる。
【００６０】
（３）さらに、本実施形態では、指針等の時刻表示部材２を現時刻に手動修正しておけば、受信時に、時刻表示部材２と表示時刻計数手段１４との同期化および時刻表示部材２が指示する時刻の修正を自動的に行えるので、非常に簡単な操作で時刻合わせを行うことができる。すなわち、針位置センサーを設けない場合、従来は、指針を表示基準位置（例えば０時０分０秒）に移動して表示時刻計数手段１４と同期化を行う必要があり、その指針の移動操作が面倒であった。これに対し、本実施形態では、現時刻に合わせればよく、例えば、電池残量が少なくなって電池を交換する場合に、新しい電池に交換した際に時刻表示部材２が指示する時刻は、現時刻からそれほどずれていないことが多いので、時刻表示部材２を現時刻に容易に合わせることができ、この点でも時刻修正の操作性を向上できる。
さらに、従来のように表示基準位置に指針を移動した場合、標準電波を受信して現時刻に指針を移動するときの移動量が大きい場合が多く、その分、モーター等を比較的長く駆動して指針を移動しなければならず、時刻修正のための消費電力も増大する。これに対し、本実施形態では、時刻表示部材２の自動修正量も小さいので、消費電力も大幅に低減できる。
【００６１】
〔第２実施形態〕
次に、本発明の第２実施形態に関し、説明する。
第２実施形態では、時刻表示部材２における時分秒の各指針の針位置検出機能を備えている場合の処理に関するものである。
針位置検出機構は、従来から用いられている光センサーなどを用いた針位置検出センサーなどで構成される。例えば、秒針を駆動する秒モーターと、時分針を駆動する時分モーターとを備える場合には、秒針が０秒の位置に位置することを検出する秒針位置検出センサーと、時分針が０時０分（１２時０分）の位置に位置することを検出する時分針位置検出センサーとを備えている。
一方、第２実施形態においても、日付や曜日を示す表示車（日車、曜車）が設けられているが、この表示車の基準位置を検出する位置検出センサーは設けられていない。
【００６２】
このような第２実施形態では、図３に示すフローチャートの制御を行う。なお、図３のフローチャートにおいて、前記第１実施形態の図２のフローチャートと同じ処理を行うフローには同じ番号を付し、説明を省略する、
図３に示すように、第２実施形態においても、ステップＳ１０で「Ｙｅｓ」と判定された場合以外の処理は前記第１実施形態と同じである。
【００６３】
一方、ステップＳ１０で「Ｙｅｓ」と判定された場合、受信データ制御手段１２は、第１実施形態と同じく、受信データ（時刻データ）で内部時刻計数手段１３の内部時刻カウンターを書き換える（ステップＳ１１）。
【００６４】
次に、表示時刻計数制御手段１５は、表示時刻計数手段１４の中で、位置検出センサーが設けられていない日表示部材（日車）、曜表示部材（曜車）に対応するカウンターを、受信データ（時刻データ）で書き換える（ステップＳ２１）。従って、表示時刻計数制御手段１５は、位置検出センサーが設けられている時分秒の各指針に対応するカウンターは更新しない。
なお、時刻表示部材２が設けられていない月や年のカウンターは、位置検出センサーが設けられていないため、日や曜と同様に、受信データ（時刻データ）で書き換える。
【００６５】
このステップＳ２１により、位置検出センサーが設けられていない時刻表示部材２、つまり基準位置が未設定の時刻表示部材２は、表示時刻計数手段１４と同期することになる。また、位置検出センサーが設けられた時刻表示部材２は、位置検出センサーで検出された時点で表示時刻計数手段１４と同期することになる。なお、通常、電源投入時やシステムリセット時には、位置検出センサーによる位置検出が行われるため、図３の受信処理時には、位置検出センサーが設けられた時刻表示部材２も、表示時刻計数手段１４と同期している。
【００６６】
ステップＳ１２によって、時刻表示部材２と表示時刻計数手段１４とが同期するので、内部時刻表示時刻比較手段１６は、第１実施形態と同様に、表示時刻計数手段１４の表示部材カウンターと、内部時刻計数手段１３の内部時刻カウンターとを比較する（ステップＳ１３）。
そして、内部時刻表示時刻比較手段１６は、その差分データを表示駆動制御手段１９に出力し、表示駆動制御手段１９は、その差分に応じて表示駆動手段３を駆動して時刻表示部材２を修正する（ステップＳ１４）。同時に、表示駆動制御手段１９は、表示駆動手段３の駆動量に応じた信号を表示時刻計数制御手段１５に出力し、表示時刻計数制御手段１５は表示時刻計数手段１４のカウンター値を更新し、時刻表示部材２との同期状態を維持する。
その後は、制御手段１０は、通常運針処理に戻り（ステップＳ５）、受信時の処理を終了する。
【００６７】
このような第２実施形態によれば、次のような効果がある。
時刻表示部材２における時分秒の各指針の位置検出を行う針位置検出センサーを備えているので、時分秒の各指針の基準位置は定期的に確認することができる。従って、時分秒の各指針と、これらの指針に対応する表示時刻計数手段１４とは同期が取れているので、時刻データを受信した際に、内部時刻表示時刻比較手段１６で、内部時刻計数手段１３および表示時刻計数手段１４を比較すれば、時分秒の各指針は自動的に正しい時刻に修正することができる。
【００６８】
また、針位置検出センサーが設けられていない表示車（日車、曜車）に関しては、前記第１実施形態と同様に、表示時刻計数手段１４の日、曜の各カウンターを、受信した時刻データで更新することで、表示車（時刻表示部材２）と表示時刻計数手段１４とを同期させることができる。
そして、この日車や曜車の修正操作は、従来の時計でも行われていた操作であるため、利用者に対して負担を掛けるものではなく、かつ、基準位置（日車であれば例えば１日、曜車であれば例えば日曜日）に移動する場合に比べて、実際の日付や曜日に修正するほうが修正量も少ない場合が多いため、修正操作性も向上できる。
【００６９】
なお、本発明は前記各実施形態に限定されるものではなく、本発明の目的を達成できる範囲での変形、改良などは、本発明に含まれるものである。
例えば、本発明の電波修正時計１としては、秒針を有しないものや、日車や曜車を備えない時計にも適用できる。さらに、電波修正時計１としては、腕時計や懐中時計などの携帯時計、掛時計や置時計などの設置型時計など、様々な時計に適用できる。
【００７０】
また、図１に示す制御手段１０の各回路や手段は、各種論理素子などのハードウェアで構成されたものに限らず、ＣＰＵ（中央処理装置）、メモリー（記憶装置）などを備えたコンピューターを電波修正時計１内に設け、このコンピューターに所定のプログラムやデータ（各記憶部に記憶されたデータ）を組み込んで各回路や手段を実現させるように構成したものでもよい。
例えば、電波修正時計１内にＣＰＵやメモリー（ＲＯＭ，ＲＡＭ等）を配置してコンピューターとして機能できるように構成し、このメモリーに所定の制御プログラムやデータをインターネットなどの通信手段や、ＣＤ−ＲＯＭ、メモリカードなどの記録媒体を介してインストールし、このインストールされたプログラムでＣＰＵなどを動作させてもよい。
【００７１】
なお、電波修正時計１に所定のプログラムなどをインストールするには、その電波修正時計１にメモリカードやＣＤ−ＲＯＭなどを直接差し込んで実施したり、これらの記憶媒体を読み取る機器を外付けで電波修正時計１に接続したりしてもよい。さらには、ＬＡＮケーブル、電話線などを電波修正時計１に接続して通信によってプログラムなどを供給しインストールしてもよく、アンテナを備えていることから無線によってプログラムを供給してインストールするなどしてもよい。
【００７２】
その他、本発明の実施の際の具体的な構造および手順は、本発明の目的を達成できる範囲で他の構造などに適宜変更できる。
【符号の説明】
【００７３】
１…電波修正時計、２…時刻表示部材、３…表示駆動手段、４…外部操作部材、５…受信回路、６…発振回路、７…分周回路、１０…制御手段、１１…受信回路制御手段、１２…受信データ制御手段、１３…内部時刻計数手段、１４…表示時刻計数手段、１５…表示時刻計数制御手段、１６…内部時刻表示時刻比較手段、１７…時刻表示修正手段、１８…表示基準位置設定手段、１９…表示駆動制御手段。
【図１】
2011080889.tif 000003
【図２】
2011080889.tif 000004
【図３】
2011080889.tif 000005